(57)【特許請求の範囲】
【請求項１】
受信端末機器が、第１メッセージに関連する第２メッセージを送信端末機器から受信することと、
前記受信端末機器が、前記第２メッセージに基づいて、前記第１メッセージを復号する目標受信機パラメータを特定することと、
前記受信端末機器が、前記目標受信機パラメータに基づいて、前記送信端末機器から送信される前記第１メッセージを復号することとを含み、
前記第２メッセージにパラメータ指示情報が含まれる場合、前記目標受信機パラメータは、前記パラメータ指示情報で指示される受信機パラメータであり、
前記第２メッセージにパラメータ指示情報が含まれない場合、前記目標受信機パラメータは、前記受信端末機器のデフォルトの受信機パラメータであり、
前記第２メッセージは、
予め特定されたパラメータ切り替え指示セットに対応するスケジューリング時間単位内で受信される場合、パラメータ指示情報を含み、かつ前記第１メッセージとの間にインターバルが存在し、
前記パラメータ切り替え指示セットに対応するスケジューリング時間単位外で受信される場合、パラメータ指示情報を含まず、かつ前記第１メッセージとの間にインターバルが存在しない、メッセージ復号方法。
【請求項２】
前記受信端末機器のデフォルトの受信機パラメータは、
前記受信端末機器の使用中の受信機パラメータ、前記受信端末機器で受信された時間的に最も近い第２メッセージで指示される受信機パラメータ、予め定義されている受信機パラメータ、または、前記受信端末機器から前記送信端末機器に報告される時間的に最も近い送信機パラメータに対応する受信機パラメータを含む、請求項１に記載の方法。
【請求項３】
前記パラメータ指示情報は、前記目標受信機パラメータを明示的または暗示的に指示し、
前記パラメータ指示情報が前記目標受信機パラメータを暗示的に指示する場合、
前記パラメータ指示情報は、前記送信端末機器によって選択される送信機パラメータを含み、
前記受信端末機器は、予め前記送信機パラメータに対し選択した受信機パラメータを前記目標受信機パラメータとする、請求項１または２に記載の方法。
【請求項４】
前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にあり、
前記受信端末機器が、前記目標受信機パラメータに基づいて前記第１メッセージを復号することは、
前記第２メッセージにパラメータ指示情報が含まれる場合、前記受信端末機器が、前記パラメータ指示情報で指示される前記目標受信機パラメータに基づいて前記第２パートを復号すること、または、
前記第２メッセージにパラメータ指示情報が含まれる場合、前記受信端末機器が、前記第１パートを廃棄するとともに、前記パラメータ指示情報で指示される前記目標受信機パラメータに基づいて前記第２パートを復号すること、または、
前記第２メッセージにパラメータ指示情報が含まれる場合、前記受信端末機器が、デフォルトの受信機パラメータに基づいて前記第１パートを復号するとともに、前記パラメータ指示情報で指示される前記目標受信機パラメータに基づいて前記第２パートを復号すること、または、
前記第２メッセージにパラメータ指示情報が含まれない場合、前記受信端末機器が、デフォルトの受信機パラメータに基づいて前記第１パートと前記第２パートを復号すること、または、
前記第２メッセージにパラメータ指示フィールドが含まれ、かつ前記パラメータ指示フィールドにパラメータ指示情報が含まれる場合、前記受信端末機器が、前記パラメータ指示情報で指示される前記目標受信機パラメータに基づいて前記第２パートを復号すること、または、
前記第２メッセージにパラメータ指示フィールドが含まれ、かつ前記パラメータ指示フィールドにパラメータ指示情報が含まれる場合、前記受信端末機器が、前記第１パートを廃棄するとともに、前記パラメータ指示情報で指示される前記目標受信機パラメータに基づいて前記第２パートを復号すること、または、
前記第２メッセージにパラメータ指示フィールドが含まれ、かつ前記パラメータ指示フィールドにパラメータ指示情報が含まれる場合、前記受信端末機器が、デフォルトの受信機パラメータに基づいて前記第１パートを復号するとともに、前記パラメータ指示情報で指示される前記目標受信機パラメータに基づいて前記第２パートを復号すること、または、
前記第２メッセージにパラメータ指示フィールドが含まれ、かつ前記パラメータ指示フィールドによって、パラメータ指示情報がないこと、またはパラメータの変更がないことが指示される場合、前記受信端末機器が、デフォルトの受信機パラメータに基づいて前記第１パートと前記第２パートを復号することを含む、請求項１〜３のいずれか一項に記載の方法。
【請求項５】
前記受信端末機器が、前記第２メッセージにパラメータ指示情報が含まれるかを指示するための第３メッセージを前記送信端末機器から受信することをさらに含み、
前記第２メッセージにパラメータ指示情報が含まれることが前記第３メッセージによって指示される場合、前記第２メッセージと前記第１メッセージとの間にインターバルが存在し、
前記第２メッセージにパラメータ指示情報が含まれないことが前記第３メッセージによって指示される場合、前記第２メッセージと前記第１メッセージとの間にインターバルが存在しない、請求項１〜３のいずれか一項に記載の方法。
【請求項６】
前記目標受信機パラメータは、
時間領域、周波数領域および空間領域のうちの少なくとも１つの受信機パラメータを含む、請求項１〜３のいずれか一項に記載の方法。
【請求項７】
受信端末機器に対し、送信端末機器が、第１メッセージに関連する第２メッセージであって、前記第１メッセージを復号する目標受信機パラメータを前記受信端末機器に特定させるための第２メッセージを送信することと、
前記送信端末機器が、前記第１メッセージを前記受信端末機器に送信することとを含み、
前記第２メッセージにパラメータ指示情報が含まれる場合、前記目標受信機パラメータは、前記パラメータ指示情報で指示される受信機パラメータであり、
前記第２メッセージにパラメータ指示情報が含まれない場合、前記目標受信機パラメータは、前記受信端末機器のデフォルトの受信機パラメータであり、
前記第２メッセージは、
予め特定されたパラメータ切り替え指示セットに対応するスケジューリング時間単位内で受信される場合、パラメータ指示情報を含み、かつ前記第１メッセージとの間にインターバルが存在し、
前記パラメータ切り替え指示セットに対応するスケジューリング時間単位外で受信される場合、パラメータ指示情報を含まず、かつ前記第１メッセージとの間にインターバルが存在しない、復号用メッセージの送信方法。
【請求項８】
前記受信端末機器のデフォルトの受信機パラメータは、
前記受信端末機器の使用中の受信機パラメータ、前記受信端末機器で受信された時間的に最も近い第２メッセージで指示される受信機パラメータ、予め定義されている受信機パラメータ、または、前記受信端末機器から前記送信端末機器に報告される時間的に最も近い送信機パラメータに対応する受信機パラメータを含む、請求項７に記載の方法。
【請求項９】
前記パラメータ指示情報は、前記目標受信機パラメータを明示的または暗示的に指示し、
前記パラメータ指示情報が前記目標受信機パラメータを暗示的に指示する場合、
前記パラメータ指示情報は、前記送信端末機器によって選択される送信機パラメータを含み、
前記受信端末機器は、予め前記送信機パラメータに対し選択した受信機パラメータを前記目標受信機パラメータとする、請求項７または８に記載の方法。
【請求項１０】
前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にある、請求項７〜９のいずれか一項に記載の方法。
【請求項１１】
前記送信端末機器が、前記第２メッセージにパラメータ指示情報が含まれるかを指示するための第３メッセージを前記受信端末機器に送信することをさらに含み、
前記第２メッセージにパラメータ指示情報が含まれることが前記第３メッセージによって指示される場合、前記第２メッセージと前記第１メッセージとの間にインターバルが存在し、
前記第２メッセージにパラメータ指示情報が含まれないことが前記第３メッセージによって指示される場合、前記第２メッセージと前記第１メッセージとの間にインターバルが存在しない、請求項７〜９のいずれか一項に記載の方法。
【請求項１２】
前記目標受信機パラメータは、
時間領域、周波数領域および空間領域のうちの少なくとも１つの受信機パラメータを含む、請求項７〜９のいずれか一項に記載の方法。
【請求項１３】
第１メッセージに関連する第２メッセージを送信端末機器から受信する第１受信モジュールと、
前記第２メッセージに基づいて、前記第１メッセージを復号する目標受信機パラメータを特定する特定モジュールと、
前記目標受信機パラメータに基づいて、前記送信端末機器から送信される前記第１メッセージを復号する復号モジュールとを含み、
前記第２メッセージにパラメータ指示情報が含まれる場合、前記目標受信機パラメータは、前記パラメータ指示情報で指示される受信機パラメータであり、
前記第２メッセージにパラメータ指示情報が含まれない場合、前記目標受信機パラメータは、受信端末機器のデフォルトの受信機パラメータであり、
前記第２メッセージは、
予め特定されたパラメータ切り替え指示セットに対応するスケジューリング時間単位内で受信される場合、パラメータ指示情報を含み、かつ前記第１メッセージとの間にインターバルが存在し、
前記パラメータ切り替え指示セットに対応するスケジューリング時間単位外で受信される場合、パラメータ指示情報を含まず、かつ前記第１メッセージとの間にインターバルが存在しない、受信端末機器。
【請求項１４】
前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にあり、
前記復号モジュールは、
前記第２メッセージにパラメータ指示情報が含まれる場合、前記パラメータ指示情報で指示される前記目標受信機パラメータに基づいて前記第２パートを復号し、または、
前記第２メッセージにパラメータ指示情報が含まれる場合、前記第１パートを廃棄するとともに、前記パラメータ指示情報で指示される前記目標受信機パラメータに基づいて前記第２パートを復号し、または、
前記第２メッセージにパラメータ指示情報が含まれる場合、デフォルトの受信機パラメータに基づいて前記第１パートを復号するとともに、前記パラメータ指示情報で指示される前記目標受信機パラメータに基づいて前記第２パートを復号し、または、
前記第２メッセージにパラメータ指示情報が含まれない場合、デフォルトの受信機パラメータに基づいて前記第１パートと前記第２パートを復号し、または、
前記第２メッセージにパラメータ指示フィールドが含まれ、かつ前記パラメータ指示フィールドにパラメータ指示情報が含まれる場合、前記パラメータ指示情報で指示される前記目標受信機パラメータに基づいて前記第２パートを復号し、または、
前記第２メッセージにパラメータ指示フィールドが含まれ、かつ前記パラメータ指示フィールドにパラメータ指示情報が含まれる場合、前記第１パートを廃棄するとともに、前記パラメータ指示情報で指示される前記目標受信機パラメータに基づいて前記第２パートを復号し、または、
前記第２メッセージにパラメータ指示フィールドが含まれ、かつ前記パラメータ指示フィールドにパラメータ指示情報が含まれる場合、デフォルトの受信機パラメータに基づいて前記第１パートを復号するとともに、前記パラメータ指示情報で指示される前記目標受信機パラメータに基づいて前記第２パートを復号し、または、
前記第２メッセージにパラメータ指示フィールドが含まれ、かつ前記パラメータ指示フィールドによって、パラメータ指示情報がないこと、またはパラメータの変更がないことが指示される場合、デフォルトの受信機パラメータに基づいて前記第１パートと前記第２パートを復号する、請求項１３に記載の受信端末機器。
【請求項１５】
前記第２メッセージにパラメータ指示情報が含まれるかを指示するための第３メッセージを前記送信端末機器から受信する第２受信モジュールをさらに含み、
前記第２メッセージにパラメータ指示情報が含まれることが前記第３メッセージによって指示される場合、前記第２メッセージと前記第１メッセージとの間にインターバルが存在し、
前記第２メッセージにパラメータ指示情報が含まれないことが前記第３メッセージによって指示される場合、前記第２メッセージと前記第１メッセージとの間にインターバルが存在しない、請求項１３に記載の受信端末機器。
【請求項１６】
受信端末機器に対し、第１メッセージに関連する第２メッセージであって、前記第１メッセージを復号する目標受信機パラメータを前記受信端末機器に特定させるための第２メッセージを送信する第１送信モジュールと、
前記第１メッセージを前記受信端末機器に送信する第２送信モジュールとを含み、
前記第２メッセージにパラメータ指示情報が含まれる場合、前記目標受信機パラメータは、前記パラメータ指示情報で指示される受信機パラメータであり、
前記第２メッセージにパラメータ指示情報が含まれない場合、前記目標受信機パラメータは、前記受信端末機器のデフォルトの受信機パラメータであり、
前記第２メッセージは、
予め特定されたパラメータ切り替え指示セットに対応するスケジューリング時間単位内で受信される場合、パラメータ指示情報を含み、かつ前記第１メッセージとの間にインターバルが存在し、
前記パラメータ切り替え指示セットに対応するスケジューリング時間単位外で受信される場合、パラメータ指示情報を含まず、かつ前記第１メッセージとの間にインターバルが存在しない、送信端末機器。
【発明の詳細な説明】
【技術分野】
【０００１】
本願は、２０１７年５月４日に中国特許庁に提出された中国特許出願２０１７１０３０７９６２．５の優先権を主張し、その全ての内容が援用によりここに取り込まれる。
本開示の実施例は、通信技術分野に係り、特にメッセージ復号方法、送信端末機器および受信端末機器に係る。
【背景技術】
【０００２】
通信技術の発展につれて、現在、通信機器ではマルチアンテナシステムがサポートされている。たとえば、１２８、２５６または５１２ものアンテナユニットおよび１２８、２５６または５１２もの送受信ユニットをサポートし、各アンテナユニットに１つの送受信ユニットが接続される。また、現在の通信機器ではマルチビームもサポートされており、異なるビームのカバレッジが異なってもよい。このように、送信端末機器（たとえばネットワーク側機器）からメッセージを送信する際に、複数の送信機パラメータ（たとえば送信ビーム）から対応する送信機パラメータを選択して送信し、通信性能を向上させる。一方、送信端末機器から送信されるメッセージに対し、受信端末機器（たとえばユーザ端末）がどのように対応する受信機パラメータ（たとえば受信ビーム）を選択して復号するかは、明確化されていない。送信端末機器から送信されるメッセージに対し、受信端末機器がどのように対応する受信機パラメータを選択して復号することは、解決を急がれている技術問題であることが分かる。
【発明の概要】
【発明が解決しようとする課題】
【０００３】
本開示の実施例の目的は、送信端末機器から送信されるメッセージに対し、受信端末機器がどのように対応する受信機パラメータを選択して復号するという技術問題を解決するために、メッセージ復号方法、送信端末機器および受信端末機器を提供することにある。
【課題を解決するための手段】
【０００４】
第１方面において、本開示の実施例は、メッセージ復号方法を提供する。当該方法において、受信端末機器が、第１メッセージに関連する第２メッセージを送信端末機器から受信することと、前記受信端末機器が、前記第２メッセージに基づいて、前記第１メッセージを復号する目標受信機パラメータを特定することと、前記受信端末機器が、前記目標受信機パラメータに基づいて、前記送信端末機器から送信される前記第１メッセージを復号することとを含む。
【０００５】
本開示の実行可能な実施例において、前記第２メッセージにパラメータ指示情報が含まれる場合、前記目標受信機パラメータは、前記パラメータ指示情報で指示される受信機パラメータであり、前記第２メッセージにパラメータ指示情報が含まれない場合、前記目標受信機パラメータは、前記受信端末機器のデフォルトの受信機パラメータである。
【０００６】
本開示の実行可能な実施例において、前記受信端末機器のデフォルトの受信機パラメータは、前記受信端末機器の使用中の受信機パラメータ、前記受信端末機器で受信された時間的に最も近い第２メッセージで指示される受信機パラメータ、予め定義されている受信機パラメータ、または、前記受信端末機器から前記送信端末機器に報告される時間的に最も近い送信機パラメータに対応する受信機パラメータを含む。
【０００７】
本開示の実行可能な実施例において、前記パラメータ指示情報は、前記目標受信機パラメータを明示的または暗示的に指示する。
【０００８】
本開示の実行可能な実施例において、前記パラメータ指示情報が前記目標受信機パラメータを暗示的に指示する場合、前記パラメータ指示情報は、前記送信端末機器によって選択される送信機パラメータを含み、前記受信端末機器は、予め前記送信機パラメータに対し選択した受信機パラメータを前記目標受信機パラメータとする。
【０００９】
本開示の実行可能な実施例において、前記第２メッセージは、予め特定されたパラメータ切り替え指示セットに対応するスケジューリング時間単位内で受信される場合、パラメータ指示情報を含み、かつ前記第１メッセージとの間にインターバルが存在し、前記パラメータ切り替え指示セットに対応するスケジューリング時間単位外で受信される場合、パラメータ指示情報を含まず、かつ前記第１メッセージとの間にインターバルが存在しない。
【００１０】
本開示の実行可能な実施例において、前記パラメータ切り替え指示セットに対応するスケジューリング時間単位は、時間領域で周期的に存在し、および／または、前記送信端末機器から半静的または半永続的に設定されて前記受信端末機器に通知される。
【００１１】
本開示の実行可能な実施例において、前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にあり、前記受信端末機器が、前記目標受信機パラメータに基づいて前記第１メッセージを復号することは、前記第２メッセージにパラメータ指示情報が含まれる場合、前記受信端末機器が、前記パラメータ指示情報で指示される前記目標受信機パラメータに基づいて前記第２パートを復号すること、または、前記第２メッセージにパラメータ指示情報が含まれる場合、前記受信端末機器が、前記第１パートを廃棄するとともに、前記パラメータ指示情報で指示される前記目標受信機パラメータに基づいて前記第２パートを復号すること、または、前記第２メッセージにパラメータ指示情報が含まれる場合、前記受信端末機器が、デフォルトの受信機パラメータに基づいて前記第１パートを復号するとともに、前記パラメータ指示情報で指示される前記目標受信機パラメータに基づいて前記第２パートを復号すること、または、前記第２メッセージにパラメータ指示情報が含まれない場合、前記受信端末機器が、デフォルトの受信機パラメータに基づいて前記第１パートと前記第２パートを復号すること、または、前記第２メッセージにパラメータ指示フィールドが含まれ、かつ前記パラメータ指示フィールドにパラメータ指示情報が含まれる場合、前記受信端末機器が、前記パラメータ指示情報で指示される前記目標受信機パラメータに基づいて前記第２パートを復号すること、または、前記第２メッセージにパラメータ指示フィールドが含まれ、かつ前記パラメータ指示フィールドにパラメータ指示情報が含まれる場合、前記受信端末機器が、前記第１パートを廃棄するとともに、前記パラメータ指示情報で指示される前記目標受信機パラメータに基づいて前記第２パートを復号すること、または、前記第２メッセージにパラメータ指示フィールドが含まれ、かつ前記パラメータ指示フィールドにパラメータ指示情報が含まれる場合、前記受信端末機器が、デフォルトの受信機パラメータに基づいて前記第１パートを復号するとともに、前記パラメータ指示情報で指示される前記目標受信機パラメータに基づいて前記第２パートを復号すること、または、前記第２メッセージにパラメータ指示フィールドが含まれ、かつ前記パラメータ指示フィールドによって、パラメータ指示情報がないこと、またはパラメータの変更がないことが指示される場合、前記受信端末機器が、デフォルトの受信機パラメータに基づいて前記第１パートと前記第２パートを復号することを含む。
【００１２】
本開示の実行可能な実施例の前記方法において、前記受信端末機器が、前記第２メッセージにパラメータ指示情報が含まれるかを指示するための第３メッセージを前記送信端末機器から受信することをさらに含み、かつ、前記第２メッセージにパラメータ指示情報が含まれることが前記第３メッセージによって指示される場合、前記第２メッセージと前記第１メッセージとの間にインターバルが存在し、前記第２メッセージにパラメータ指示情報が含まれないことが前記第３メッセージによって指示される場合、前記第２メッセージと前記第１メッセージとの間にインターバルが存在しない。
【００１３】
本開示の実行可能な実施例において、前記第３メッセージは、連続または非連続のＭ（１以上の整数）個の時間単位内の第２メッセージにパラメータ指示情報が含まれるかを指示する。
【００１４】
本開示の実行可能な実施例において、前記目標受信機パラメータは、時間領域、周波数領域および空間領域のうちの少なくとも１つの受信機パラメータを含む。
【００１５】
本開示の実行可能な実施例において、前記空間領域の受信機パラメータは、前記受信端末機器の受信ビームを含む。
【００１６】
第２方面において、本開示の実施例は、メッセージ復号方法を提供する。当該方法において、受信端末機器に対し、送信端末機器が、第１メッセージに関連する第２メッセージであって、前記第１メッセージを復号する目標受信機パラメータを前記受信端末機器に特定させるための第２メッセージを送信することと、前記送信端末機器が、前記第１メッセージを前記受信端末機器に送信することとを含む。
【００１７】
本開示の実行可能な実施例において、前記第２メッセージにパラメータ指示情報が含まれる場合、前記目標受信機パラメータは、前記パラメータ指示情報で指示される受信機パラメータであり、前記第２メッセージにパラメータ指示情報が含まれない場合、前記目標受信機パラメータは、前記受信端末機器のデフォルトの受信機パラメータである。
【００１８】
本開示の実行可能な実施例において、前記受信端末機器のデフォルトの受信機パラメータは、前記受信端末機器の使用中の受信機パラメータ、前記受信端末機器で受信された時間的に最も近い第２メッセージで指示される受信機パラメータ、予め定義されている受信機パラメータ、または、前記受信端末機器から前記送信端末機器に報告される時間的に最も近い送信機パラメータに対応する受信機パラメータを含む。
【００１９】
本開示の実行可能な実施例において、前記パラメータ指示情報は、前記目標受信機パラメータを明示的または暗示的に指示する。
【００２０】
本開示の実行可能な実施例において、前記パラメータ指示情報が前記目標受信機パラメータを暗示的に指示する場合、前記パラメータ指示情報は、前記送信端末機器によって選択される送信機パラメータを含み、前記受信端末機器は、予め前記送信機パラメータに対し選択した受信機パラメータを前記目標受信機パラメータとする。
【００２１】
本開示の実行可能な実施例において、前記第２メッセージは、予め特定されたパラメータ切り替え指示セットに対応するスケジューリング時間単位内で受信される場合、パラメータ指示情報を含み、かつ前記第１メッセージとの間にインターバルが存在し、前記パラメータ切り替え指示セットに対応するスケジューリング時間単位外で受信される場合、パラメータ指示情報を含まず、かつ前記第１メッセージとの間にインターバルが存在しない。
【００２２】
本開示の実行可能な実施例において、前記パラメータ切り替え指示セットに対応するスケジューリング時間単位は、時間領域で周期的に存在し、および／または、前記送信端末機器から半静的または半永続的に設定されて前記受信端末機器に通知される。
【００２３】
本開示の実行可能な実施例において、前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にある。
【００２４】
本開示の実行可能な実施例の前記方法において、前記送信端末機器が、前記第２メッセージにパラメータ指示情報が含まれるかを指示するための第３メッセージを前記受信端末機器に送信することをさらに含み、かつ、前記第２メッセージにパラメータ指示情報が含まれることが前記第３メッセージによって指示される場合、前記第２メッセージと前記第１メッセージとの間にインターバルが存在し、前記第２メッセージにパラメータ指示情報が含まれないことが前記第３メッセージによって指示される場合、前記第２メッセージと前記第１メッセージとの間にインターバルが存在しない。
【００２５】
本開示の実行可能な実施例において、前記第３メッセージは、連続または非連続のＭ（１以上の整数）個の時間単位内の第２メッセージにパラメータ指示情報が含まれるかを指示する。
【００２６】
本開示の実行可能な実施例において、前記目標受信機パラメータは、時間領域、周波数領域および空間領域のうちの少なくとも１つの受信機パラメータを含む。
【００２７】
本開示の実行可能な実施例において、前記空間領域の受信機パラメータは、前記受信端末機器の受信ビームを含む。
【００２８】
第３方面において、本開示の実施例は、受信端末機器をさらに提供する。当該受信端末機器は、第１メッセージに関連する第２メッセージを送信端末機器から受信する第１受信モジュールと、前記第２メッセージに基づいて、前記第１メッセージを復号する目標受信機パラメータを特定する特定モジュールと、前記目標受信機パラメータに基づいて、前記送信端末機器から送信される前記第１メッセージを復号する復号モジュールとを含む。
【００２９】
本開示の実行可能な実施例において、前記第２メッセージにパラメータ指示情報が含まれる場合、前記目標受信機パラメータは、前記パラメータ指示情報で指示される受信機パラメータであり、前記第２メッセージにパラメータ指示情報が含まれない場合、前記目標受信機パラメータは、前記受信端末機器のデフォルトの受信機パラメータである。
【００３０】
本開示の実行可能な実施例において、前記受信端末機器のデフォルトの受信機パラメータは、前記受信端末機器の使用中の受信機パラメータ、前記受信端末機器で受信された時間的に最も近い第２メッセージで指示される受信機パラメータ、予め定義されている受信機パラメータ、または、前記受信端末機器から前記送信端末機器に報告される時間的に最も近い送信機パラメータに対応する受信機パラメータを含む。
【００３１】
本開示の実行可能な実施例において、前記パラメータ指示情報は、前記目標受信機パラメータを明示的または暗示的に指示する。
【００３２】
本開示の実行可能な実施例において、前記パラメータ指示情報が前記目標受信機パラメータを暗示的に指示する場合、前記パラメータ指示情報は、前記送信端末機器によって選択される送信機パラメータを含み、前記受信端末機器は、予め前記送信機パラメータに対し選択した受信機パラメータを前記目標受信機パラメータとする。
【００３３】
本開示の実行可能な実施例において、前記第２メッセージは、予め特定されたパラメータ切り替え指示セットに対応するスケジューリング時間単位内で受信される場合、パラメータ指示情報を含み、かつ前記第１メッセージとの間にインターバルが存在し、前記パラメータ切り替え指示セットに対応するスケジューリング時間単位外で受信される場合、パラメータ指示情報を含まず、かつ前記第１メッセージとの間にインターバルが存在しない。
【００３４】
本開示の実行可能な実施例において、前記パラメータ切り替え指示セットに対応するスケジューリング時間単位は、時間領域で周期的に存在し、および／または、前記送信端末機器から半静的または半永続的に設定されて前記受信端末機器に通知される。
【００３５】
本開示の実行可能な実施例において、前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にあり、前記復号モジュールは、前記第２メッセージにパラメータ指示情報が含まれる場合、前記パラメータ指示情報で指示される前記目標受信機パラメータに基づいて前記第２パートを復号し、または、前記第２メッセージにパラメータ指示情報が含まれる場合、前記第１パートを廃棄するとともに、前記パラメータ指示情報で指示される前記目標受信機パラメータに基づいて前記第２パートを復号し、または、前記第２メッセージにパラメータ指示情報が含まれる場合、デフォルトの受信機パラメータに基づいて前記第１パートを復号するとともに、前記パラメータ指示情報で指示される前記目標受信機パラメータに基づいて前記第２パートを復号し、または、前記第２メッセージにパラメータ指示情報が含まれない場合、デフォルトの受信機パラメータに基づいて前記第１パートと前記第２パートを復号し、または、前記第２メッセージにパラメータ指示フィールドが含まれ、かつ前記パラメータ指示フィールドにパラメータ指示情報が含まれる場合、前記パラメータ指示情報で指示される前記目標受信機パラメータに基づいて前記第２パートを復号し、または、前記第２メッセージにパラメータ指示フィールドが含まれ、かつ前記パラメータ指示フィールドにパラメータ指示情報が含まれる場合、前記第１パートを廃棄するとともに、前記パラメータ指示情報で指示される前記目標受信機パラメータに基づいて前記第２パートを復号し、または、前記第２メッセージにパラメータ指示フィールドが含まれ、かつ前記パラメータ指示フィールドにパラメータ指示情報が含まれる場合、デフォルトの受信機パラメータに基づいて前記第１パートを復号するとともに、前記パラメータ指示情報で指示される前記目標受信機パラメータに基づいて前記第２パートを復号し、または、前記第２メッセージにパラメータ指示フィールドが含まれ、かつ前記パラメータ指示フィールドによって、パラメータ指示情報がないこと、またはパラメータの変更がないことが指示される場合、デフォルトの受信機パラメータに基づいて前記第１パートと前記第２パートを復号する。
【００３６】
本開示の実行可能な実施例において、前記受信端末機器は、前記第２メッセージにパラメータ指示情報が含まれるかを指示するための第３メッセージを前記送信端末機器から受信する第２受信モジュールをさらに含み、かつ、前記第２メッセージにパラメータ指示情報が含まれることが前記第３メッセージによって指示される場合、前記第２メッセージと前記第１メッセージとの間にインターバルが存在し、前記第２メッセージにパラメータ指示情報が含まれないことが前記第３メッセージによって指示される場合、前記第２メッセージと前記第１メッセージとの間にインターバルが存在しない。
【００３７】
本開示の実行可能な実施例において、前記第３メッセージは、連続または非連続のＭ（１以上の整数）個の時間単位内の第２メッセージにパラメータ指示情報が含まれるかを指示する。
【００３８】
本開示の実行可能な実施例において、前記目標受信機パラメータは、時間領域、周波数領域および空間領域のうちの少なくとも１つの受信機パラメータを含む。
【００３９】
本開示の実行可能な実施例において、前記空間領域の受信機パラメータは、前記受信端末機器の受信ビームを含む。
【００４０】
第４方面において、本開示の実施例は、送信端末機器をさらに提供する。当該送信端末機器は、受信端末機器に対し、第１メッセージに関連する第２メッセージであって、前記第１メッセージを復号する目標受信機パラメータを前記受信端末機器に特定させるための第２メッセージを送信する第１送信モジュールと、前記第１メッセージを前記受信端末機器に送信する第２送信モジュールとを含む。
【００４１】
本開示の実行可能な実施例において、前記第２メッセージにパラメータ指示情報が含まれる場合、前記目標受信機パラメータは、前記パラメータ指示情報で指示される受信機パラメータであり、前記第２メッセージにパラメータ指示情報が含まれない場合、前記目標受信機パラメータは、前記受信端末機器のデフォルトの受信機パラメータである。
【００４２】
本開示の実行可能な実施例において、前記受信端末機器のデフォルトの受信機パラメータは、前記受信端末機器の使用中の受信機パラメータ、前記受信端末機器で受信された時間的に最も近い第２メッセージで指示される受信機パラメータ、予め定義されている受信機パラメータ、または、前記受信端末機器から前記送信端末機器に報告される時間的に最も近い送信機パラメータに対応する受信機パラメータを含む。
【００４３】
本開示の実行可能な実施例において、前記パラメータ指示情報は、前記目標受信機パラメータを明示的または暗示的に指示する。
【００４４】
本開示の実行可能な実施例において、前記パラメータ指示情報が前記目標受信機パラメータを暗示的に指示する場合、前記パラメータ指示情報は、前記送信端末機器によって選択される送信機パラメータを含み、前記受信端末機器は、予め前記送信機パラメータに対し選択した受信機パラメータを前記目標受信機パラメータとする。
【００４５】
本開示の実行可能な実施例において、前記第２メッセージは、予め特定されたパラメータ切り替え指示セットに対応するスケジューリング時間単位内で受信される場合、パラメータ指示情報を含み、かつ前記第１メッセージとの間にインターバルが存在し、前記パラメータ切り替え指示セットに対応するスケジューリング時間単位外で受信される場合、パラメータ指示情報を含まず、かつ前記第１メッセージとの間にインターバルが存在しない。
【００４６】
本開示の実行可能な実施例において、前記パラメータ切り替え指示セットに対応するスケジューリング時間単位は、時間領域で周期的に存在し、および／または、前記送信端末機器から半静的または半永続的に設定されて前記受信端末機器に通知される。
【００４７】
本開示の実行可能な実施例において、前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にある。
【００４８】
本開示の実行可能な実施例において、前記送信端末機器は、前記第２メッセージにパラメータ指示情報が含まれるかを指示するための第３メッセージを前記受信端末機器に送信する第３送信モジュールをさらに含み、かつ、前記第２メッセージにパラメータ指示情報が含まれることが前記第３メッセージによって指示される場合、前記第２メッセージと前記第１メッセージとの間にインターバルが存在し、前記第２メッセージにパラメータ指示情報が含まれないことが前記第３メッセージによって指示される場合、前記第２メッセージと前記第１メッセージとの間にインターバルが存在しない。
【００４９】
本開示の実行可能な実施例において、前記第３メッセージは、連続または非連続のＭ（１以上の整数）個の時間単位内の第２メッセージにパラメータ指示情報が含まれるかを指示する。
【００５０】
本開示の実行可能な実施例において、前記目標受信機パラメータは、時間領域、周波数領域および空間領域のうちの少なくとも１つの受信機パラメータを含む。
【００５１】
本開示の実行可能な実施例において、前記空間領域の受信機パラメータは、前記受信端末機器の受信ビームを含む。
【００５２】
第５方面において、本開示の実施例は、プロセッサと、トランシーバと、メモリと、ユーザインタフェースと、バスインタフェースを含む受信端末機器をさらに提供する。前記プロセッサは、前記メモリからプログラムを読み取ることによって、本開示の実施例の受信端末機器に対応するメッセージ復号方法のステップを実行する。
【００５３】
第６方面において、本開示の実施例は、プロセッサと、トランシーバと、メモリと、ユーザインタフェースと、バスインタフェースを含む送信端末機器をさらに提供する。前記プロセッサは、前記メモリからプログラムを読み取ることによって、本開示の実施例の送信端末機器に対応するメッセージ復号方法のステップを実行する。
【００５４】
第７方面において、本開示の実施例は、コンピュータプログラムが記憶されているコンピュータ読み取り可能な記憶媒体をさらに提供する。前記コンピュータプログラムがプロセッサによって実行されると、本開示の実施例の受信端末機器に対応するメッセージ復号方法のステップが実現される。
【００５５】
第８方面において、本開示の実施例は、コンピュータプログラムが記憶されているコンピュータ読み取り可能な記憶媒体をさらに提供する。前記コンピュータプログラムがプロセッサによって実行されると、本開示の実施例の送信端末機器に対応するメッセージ復号方法のステップが実現される。
【発明の効果】
【００５６】
本開示の実施例において、受信端末機器は、第１メッセージに関連する第２メッセージを送信端末機器から受信し、前記第２メッセージに基づいて、前記第１メッセージを復号する目標受信機パラメータを特定し、前記目標受信機パラメータに基づいて、前記送信端末機器から送信される前記第１メッセージを復号する。このように、受信端末機器が第１メッセージに関連する第２メッセージに基づいて受信機パラメータを特定することが実現され、かつメッセージ伝送性能も向上させる。
【図面の簡単な説明】
【００５７】
本開示の実施例や従来技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしないという前提で、これらの図面から他の図面を得ることもできる。
【００５８】
【図１】本開示の実施例の応用可能なネットワーク構造図である。
【図２】本開示の実施例におけるメッセージ復号方法のフローチャートである。
【図３】本開示の実施例におけるメッセージ送信の概略図である。
【図４】本開示の実施例における別のメッセージ送信の概略図である。
【図５】本開示の実施例における別のメッセージ送信の概略図である。
【図６】本開示の実施例における別のメッセージ送信の概略図である。
【図７】本開示の実施例における別のメッセージ復号方法のフローチャートである。
【図８】本開示の実施例における受信端末機器の構造図である。
【図９】本開示の実施例における別の受信端末機器の構造図である。
【図１０】本開示の実施例における送信端末機器の構造図である。
【図１１】本開示の実施例における別の送信端末機器の構造図である。
【図１２】本開示の実施例における別の受信端末機器の構造図である。
【図１３】本開示の実施例における別の送信端末機器の構造図である。
【発明を実施するための形態】
【００５９】
本開示の解決しようとする技術課題、技術手段及び利点をより明確にするために、以下、図面および具体的な実施例を通じて詳細に記載する。
【００６０】
図１を参照する。図１は、本開示の実施例の応用可能なネットワーク構造図である。図１に示すように、送信端末機器１１と受信端末機器１２が含まれる。ここで、送信端末機器１１は、基地局または端末であり、受信端末機器１２は、端末または基地局である。たとえば、送信端末機器１１が基地局であり、受信端末機器１２が端末であると、端末と基地局との間の通信が実現される。または、送信端末機器１１が端末であると、受信端末機器１２が基地局であり、端末と基地局との間の通信も実現される。または、送信端末機器１１が基地局であり、受信端末機器１２も基地局であると、基地局と基地局との間の通信が実現される。または、送信端末機器１１が端末であり、受信端末機器１２も端末であると、端末と端末との間の通信が実現される。もちろん、本開示の実施例において、送信端末機器１１は、端末または基地局のみに限定されない。たとえば、送信端末機器１１は、ほかのネットワーク側機器であってもよい。同様に、受信端末機器１２も、端末または基地局のみに限定されない。たとえば、受信端末機器１２は、ほかのネットワーク側機器であってもよい。これについて、本開示の実施例で限定しない。図１は、送信端末機器１１が基地局であり、受信端末機器１２が端末であることを例として示す。端末は、ユーザ端末（Ｕｓｅｒ  Ｅｑｕｉｐｍｅｎｔ）であり、たとえば、携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の実施例では、端末の具体的な種類を限定しない。基地局は、たとえば、ＬＴＥ  ｅＮＢ、５Ｇ  ＮＲ  ＮＢなどのマクロ基地局や、ｐｉｃｏ、ｆｅｍｔｏなどのＬＰＮ（ｌｏｗ  ｐｏｗｅｒ  ｎｏｄｅ）のスモール基地局であり、またはＡＰ（ａｃｃｅｓｓ  ｐｏｉｎｔ）である。基地局は、ＣＵ（ｃｅｎｔｒａｌ  ｕｎｉｔ）およびその管理／制御下の複数のＴＲＰ（Ｔｒａｎｓｍｉｓｓｉｏｎ  Ｒｅｃｅｐｔｉｏｎ  Ｐｏｉｎｔ）からなるネットワークノードであってもよい。また、１つの基地局の配下に１つまたは複数のセル（例えば異なる周波数点またはセクタ）を有する。なお、本開示の実施例では、基地局の具体的な種類を限定しない。
【００６１】
図２を参照する。図２は、本開示の実施例におけるメッセージ復号方法のフローチャートであり、図２に示すように、受信端末機器が、第１メッセージに関連する第２メッセージを送信端末機器から受信するステップ２０１と、前記受信端末機器が、前記第２メッセージに基づいて、前記第１メッセージを復号する目標受信機パラメータを特定するステップ２０２と、前記受信端末機器が、前記目標受信機パラメータに基づいて、前記送信端末機器から送信される前記第１メッセージを復号するステップ２０３とを含む。
【００６２】
ここで、前記第１メッセージは、送信端末機器から受信端末機器に送信すべく信号であり、たとえばデータおよび／または制御メッセージなどである。たとえば、前記第１メッセージは、ダウンリンク信号である。また、本開示の実施例において、第１メッセージをｍｓｇ１に定義する。一方、前記第２メッセージは、受信端末機器の受信機パラメータを通知するためのメッセージであり、たとえば制御メッセージまたはスケジューリングメッセージなどである。また、本開示の実施例において、第２メッセージをｍｓｇ２に定義する。
【００６３】
前記の前記第２メッセージに基づいて、前記第１メッセージを復号する目標受信機パラメータを特定することは、前記第２メッセージにパラメータ指示情報が含まれる場合、当該パラメータ指示情報で指示される受信機パラメータを前記目標受信機パラメータとして特定し、前記第２メッセージにパラメータ指示情報が含まれない場合、デフォルトの受信機パラメータを前記目標受信機パラメータとして特定する。すなわち、本開示の実施例において、前記第２メッセージは、パラメータ指示情報が存在する場合と存在しない場合の２つのケースが存在する。パラメータ指示情報が存在する場合、受信端末機器が、受信機パラメータの切り替えを行ってから、送信端末機器から送信されるメッセージを復号する可能性がある。パラメータ指示情報が存在しない場合、受信端末機器が、ビーム受信機パラメータの切り替えを行う必要がなく、直接、受信端末機器から送信されるメッセージを復号する可能性がある。また、目標受信機パラメータは、受信端末機器における受信機の関連パラメータであり、たとえば受信ビーム、イコライザおよび受信フィルタなどのパラメータのうちの少なくとも１つである。これに対し、本開示の実施例において限定しない。たとえば、目標受信機パラメータが目標受信ビームであること例とし、前記第１メッセージを復号するための目標受信ビームを特定することは、受信端末機器の複数の受信ビーム（Ｒｘビーム）から１つまたは複数の受信ビームを選択することである。かつ受信端末機器の複数の受信機パラメータは、送信端末機器とは無関係であり、または、送信端末機器にとって既知であり、たとえば事前設定やフィードバックによって送信端末機器に通知される。これに対し、本開示の実施例において限定しない。
【００６４】
本開示の実施例において、前記ステップによって、送信端末機器から送信される第１メッセージを受信する受信ビームを、専用の第２メッセージで受信端末機器に通知することが実現され、受信端末機器と送信端末機器ではより正確なビーム組み合わせ情報が取得され、マルチビーム伝送をサポートし、ビーム伝送性能も向上させる。また、本開示の実施例は、無線通信システムにおける受信端末機器のアナログビーム切り替えや、受信端末機器のデジタルビーム切り替えなどに用いられる。これに対し、本開示の実施例において限定しない。
【００６５】
本開示の実行可能な実施例において、前記第２メッセージにパラメータ指示情報が含まれる場合、前記目標受信機パラメータは、前記パラメータ指示情報で指示される受信機パラメータであり、前記第２メッセージにパラメータ指示情報が含まれない場合、前記目標受信機パラメータは、前記受信端末機器のデフォルトの受信機パラメータである。
【００６６】
当該実施例において、前記第２メッセージにパラメータ指示情報が含まれること、またはパラメータ指示情報が含まれないことが実現され、含まれる場合、パラメータ指示情報で指示される受信機パラメータを前記目標受信機パラメータとする。ここで、パラメータ指示情報で指示される受信ビームは、受信端末機器の使用中の受信機パラメータとは異なる受信機パラメータである。この場合、受信端末機器は、受信機パラメータ切り替えを行う必要がある。デフォルトの受信機パラメータが使用される場合、切り替えを行う必要がない。たとえば、デフォルトの受信機パラメータは、受信端末機器の使用中の受信機パラメータであり、送信端末機器から送信されるメッセージを迅速に復号する。また、本開示の実施例において、第２メッセージにおけるパラメータ指示情報は、第２メッセージにおけるパラメータ指示フィールドである。すなわち、当該パラメータ指示フィールドは、第２メッセージに存在し、または、存在しない。
【００６７】
たとえば、前記受信端末機器のデフォルトの受信機パラメータは、前記受信端末機器の使用中の受信機パラメータ、前記受信端末機器で受信された時間的に最も近い第２メッセージで指示される受信機パラメータ、予め定義されている受信機パラメータ、または、前記受信端末機器から前記送信端末機器に報告される時間的に最も近い送信機パラメータに対応する受信機パラメータを含む。
【００６８】
当該実施形態において、前記デフォルトビームによって受信機パラメータの切り替えを減少することができる。たとえば、受信ビームの切り替えを減少して伝送性能を向上させる。たとえば、第２メッセージと第１メッセージとの間にインターバルが存在しない。
【００６９】
また、本開示の実施例において、前記パラメータ指示情報は、前記目標受信機パラメータを明示的または暗示的に指示する。たとえば、前記目標受信ビームを明示的または暗示的に指示する。
【００７０】
ここで、明示的な指示とは、直接に指示すると理解する。たとえば、受信ビームを例とし、受信端末機器にＬ個の事前設定の受信ビームを１組有するが、これは、送信端末機器にとって既知である。このように、前記パラメータ指示情報は、たとえばＬｏｇ２（Ｌ）ビットのフィールドを付帯し、受信端末機器の推薦受信ビームを指示する。第２メッセージを受信すると、受信端末機器は、対応する受信ビームを特定してｍｓｇ１を復号する。一方、前記暗示的な指示とは、間接的に指示すると理解する。たとえば、前記パラメータ指示情報は、送信ビーム（Ｔｘビーム）を指示し、指示される送信ビームによって、当該送信ビームに対応する受信ビームを暗示的に指示する。当該実施形態において、前記明示的または暗示的な方式によれば、受信ビームを受信端末機器に柔軟に指示することが実現され、システムの柔軟性を向上させる。
【００７１】
本開示の実行可能な実施例において、前記パラメータ指示情報が前記目標受信機パラメータを暗示的に指示する場合、前記パラメータ指示情報は、前記送信端末機器によって選択される送信機パラメータを含み、前記受信端末機器は、予め前記送信機パラメータに対し選択した受信機パラメータを前記目標受信機パラメータとする。
【００７２】
当該実施形態において、受信機パラメータを送信機パラメータで暗示的に指示することが実現される。たとえば、目標受信機パラメータが目標ビームであることを例とし、送信端末機器は、ダウンリンク伝送用のＭ個の送信ビーム候補を有する。送信端末機器は、Ｍ個の参照シンボル（ＲＳ）リソースを設定し、各送信ビームを対応するＲＳリソースに応用する。ＲＳリソース毎に、受信端末機器は、１組の受信ビーム候補をテストし、各ＲＳリソース（たとえば送信ビーム）の最適な受信ビームを特定する。本開示の実行可能な実施例において、受信端末機器は、たとえば、推薦されるＲＳリソースの形式で、少なくとも推薦される送信ビームの情報を送信端末機器にフィードバックするが、当該ステップが選択可能なステップである。第１メッセージを送信する前に、送信端末機器は、選択した送信ビームの指示を第２メッセージの方式で送信する。受信端末機器は、第２メッセージを受信すると、使用される送信ビームの情報を取得し、最適な受信ビームを取得して前記目標受信ビームとする。当該最適な受信ビームは、以前の測定から知られて受信端末機器に保存されるものである。
【００７３】
当該実施形態において、受信機パラメータを送信機パラメータで暗示的に指示することが実現され、受信端末機器と送信端末機器との間の伝送に有利である。もちろん、一部の実施形態において、送信端末機器は、受信端末機器から返信される推薦情報に基づいて、対応する送信機パラメータ、たとえば送信ビームを自ら選択する。
【００７４】
本開示の実行可能な実施例において、前記第２メッセージは、予め特定されたパラメータ切り替え指示セットに対応するスケジューリング時間単位内で受信される場合、パラメータ指示情報を含み、かつ前記第１メッセージとの間にインターバルが存在し、前記パラメータ切り替え指示セットに対応するスケジューリング時間単位外で受信される場合、パラメータ指示情報を含まず、かつ前記第１メッセージとの間にインターバルが存在しない。
【００７５】
当該実施形態において、前記パラメータ切り替え指示セット（ＢＳＩＳ）に対応するスケジューリング時間単位は、サブフレーム、スロット（ｓｌｏｔｓ）などの時間単位である。かつ送信端末機器と受信端末機器とは、ＢＳＩＳに対し共通な認識を有する。ＢＳＩＳに対応するｓｌｏｔ（ここでｓｌｏｔを例とする）においてのみ、第２メッセージにパラメータ指示情報が付帯されるが、それ以外、第２メッセージにパラメータ指示情報が付帯されない。これは、ＢＳＩＳに対応するスロット以外のすべてのスロットでは受信機パラメータ切り替え、たとえば受信ビーム切り替えが実行されず、周期的な特定スロット（たとえばＢＳＩＳの中のスロット）のみにおいて受信機パラメータ切り替えが実行されることを意味する。
【００７６】
また、第２メッセージにパラメータ指示情報が含まれる場合、前記第２メッセージと前記第１メッセージとの間にインターバルが存在するため、受信端末機器は、当該インターバルにおいて受信機パラメータ切り替え、たとえば受信ビーム切り替えを行い、メッセージの伝送に影響を与えない。一方、前記第２メッセージにパラメータ指示情報が含まれない場合、前記第２メッセージと前記第１メッセージとの間にインターバルが存在しないため、伝送リソースの節約が実現される。当該場合、受信端末機器は、受信機パラメータ切り替え、たとえば受信ビーム切り替えを行う必要がなく、さらに第２メッセージと第１メッセージの連続的伝送も受信端末機器の復号に影響を与えないからである。かつ前記第２メッセージと第１メッセージは、同一の周波数領域リソースで送信され、または、同一のチャネルで送信されるが、これに対し、本開示の実施例において限定しない。
【００７７】
たとえば、ＢＳＩＳの中のスロットで送信される第２メッセージには、パラメータ指示情報が付帯される。この場合、同一スロット内の第１メッセージと第２メッセージとの間には、切り替え時間が存在する。それ以外の場合、ＢＳＩＳ以外のスロット内の第２メッセージの伝送について、送信端末機器から第２メッセージが送信されるが、ビーム指示フィールドが付帯されない。この場合、受信端末機器は、第２メッセージの直後に第１メッセージを受信しようとする（インターバルがない）。たとえば、図３に示す２つ目のｓｌｏｔを参照する。また、各スロットで第２メッセージまたは第１メッセージの受信を試みる場合、受信端末機器は、パラメータ指示情報が存在しまたは存在しないことを想定して第２メッセージを復号する。言い換えれば、ＢＳＩＳの中のスロットでは、第２メッセージにパラメータ指示情報が付帯され、受信端末機器は、１つのパラメータ指示情報が存在することを想定して第２メッセージの復号を試みる。ほかのスロットでは、受信機は、パラメータ指示情報が存在しないことを想定して第２メッセージを復号する。第２メッセージにパラメータ指示情報が付帯されないスロットでは、受信端末機器は、依然として１つの受信機パラメータ（たとえば受信ビーム）を選択して第１メッセージを復号する。受信端末機器は、パラメータ指示フィールドが付帯される最新の第２メッセージで指示される受信機パラメータを使用する。パラメータ指示情報を受信しなかった場合、受信機は、デフォルトの受信機パラメータで第１メッセージを復号する。
【００７８】
本開示の実行可能な実施例において、前記パラメータ切り替え指示セットに対応するスケジューリング時間単位は、時間領域で周期的に存在し、および／または、前記送信端末機器から半静的（ｓｅｍｉ−ｓｔａｔｉｃ）または半永続的（ｓｅｍｉ−ｐｅｒｓｉｓｔｅｎｔ）に設定されて前記受信端末機器に通知される。
【００７９】
ここで、前記パラメータ切り替え指示セットに対応するスケジューリング時間単位が時間領域で周期的に存在することは、前記パラメータ切り替え指示セットに対応するスケジューリング時間単位が周期性を有することである。たとえば、パラメータ切り替え指示セットは、時間領域で事前設定の周期とタイミングオフセットを周期的に有する。ここで、当該タイミングオフセットは、別の参照タイミング、たとえばフレーム境界に対するオフセットである。たとえば、パラメータ切り替え指示セットは、１０ｍｓの周期を有し、１０個のｓｌｏｔｓの内の１つで送信される第２メッセージにパラメータ指示情報が付帯される可能性があり、残り９個のｓｌｏｔｓでの第２メッセージにパラメータ指示情報が付帯されないことを指示する。前記パラメータ切り替え指示セットに対応するスケジューリング時間単位が前記送信端末機器から半静的または半永続的に設定されて前記受信端末機器に通知されることは、送信端末機器でパラメータ切り替え指示セットの集合を半静的または半永続的に設定して受信端末機器に通知し、すなわち複数のパラメータ切り替え指示セットを指示する。または、前記パラメータ切り替え指示セットは、受信端末機器によって取得され、推薦として送信端末機器にフィードバックされる。送信端末機器は、受信端末機器から推薦されるパラメータ切り替え指示セットを使用し、または、受信端末機器から推薦されるパラメータ切り替え指示セットをカバーし、新規のパラメータ切り替え指示セットを選択する。送信端末機器は、受信端末機器から推薦されるパラメータ切り替え指示セットを確認するかを受信端末機器に指示し、または、選択したパラメータ切り替え指示セットを受信端末機器に指示する必要がある。
【００８０】
本開示の実行可能な実施例において、前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にある。前記受信端末機器が、前記目標受信機パラメータに基づいて前記第１メッセージを復号することは、前記第２メッセージにパラメータ指示情報が含まれる場合、前記受信端末機器が、前記パラメータ指示情報で指示される前記目標受信機パラメータに基づいて前記第２パートを復号すること、または、前記第２メッセージにパラメータ指示情報が含まれる場合、前記受信端末機器が、前記第１パートを廃棄するとともに、前記パラメータ指示情報で指示される前記目標受信機パラメータに基づいて前記第２パートを復号すること、または、前記第２メッセージにパラメータ指示情報が含まれる場合、前記受信端末機器が、デフォルトの受信機パラメータに基づいて前記第１パートを復号するとともに、前記パラメータ指示情報で指示される前記目標受信機パラメータに基づいて前記第２パートを復号すること、または、前記第２メッセージにパラメータ指示情報が含まれない場合、前記受信端末機器が、デフォルトの受信機パラメータに基づいて前記第１パートと前記第２パートを復号することを含む。
【００８１】
当該実施形態において、前記第１メッセージが時間領域で連続する第１パートと第２パートに分けられることは、受信端末機器では第１メッセージを２つの部分に分けることである。ここで、第１メッセージを２つの部分に分けることは、第１メッセージを２つの部分として見なすと理解する。この場合、受信端末機器には第１メッセージがまだ受信されておらず、それの分割ができないからである。
【００８２】
たとえば、送信端末機器は、第１メッセージの受信に関するダウンリンクスケジューリング情報が付帯される第２メッセージを送信する。第２メッセージにパラメータ指示情報が付帯され、または付帯されないが、これに対し、受信端末機器では先見の知識がなくてもよい。第２メッセージにパラメータ指示情報がない場合、第２メッセージの有効負荷は、比較的小さい（Ａビットと示す）。第２メッセージにパラメータ指示情報がある場合、第２メッセージの有効負荷は、比較的大きい（Ｂ（Ｂ＞Ａ）ビットと示す）。送信端末機器から第２メッセージが送信された後に、受信端末機器は、第２メッセージのブラインド復号を試みる。受信端末機器では第２メッセージの有効負荷に関する先見情報がないため、ありうる異なる第２メッセージの有効負荷に基づいてブラインド復号を行う必要があるからである。たとえば、受信端末機器は、仮に有効負荷がＡビットである第２メッセージのブラインド復号、および仮に有効負荷がＢビットである別の第２メッセージのブラインド復号を行う。このように、第２メッセージの実有効負荷に基づいて、２つのブラインド復号の一方によって第２メッセージの復号に成功する。その後、受信端末機器は、第１メッセージを第１パートと第２パート（ｐａｒｔ  １  ａｎｄ  ｐａｒｔ  ２）に分け、第１パートが第２パートの前にあり、時間領域ではＴＤＭである。第１メッセージの第１パートは、第２メッセージの直後にあり、すなわち両者の間にインターバルがない。第１メッセージの第２パートは、第１パートのすぐ隣にあり、たとえば図４に示す２つ目のｓｌｏｔを参照する。
【００８３】
また、第１パートと第２パートとは同一メッセージに属するため、受信端末機器は、第１パートと第２パートに対しそれぞれシンボルレベル処理を行う。
【００８４】
当該実施形態において、前記第２メッセージにパラメータ指示情報が含まれる場合、前記受信端末機器は、前記パラメータ指示情報で指示される前記目標受信機パラメータで前記第２パートを復号する。ここで、前記送信端末機器は、前記第１パートを送信していない。たとえば、図４に示す１つ目のｓｌｏｔを参照する。このように、受信端末機器による復号の精確性を向上させる。
【００８５】
また、第２メッセージにパラメータ指示情報が含まれる場合、前記第１パートを廃棄し、前記パラメータ指示情報で指示される前記目標受信機パラメータで前記第２パートを復号する。すなわち、図４に示す２つ目のｓｌｏｔの第１パートを廃棄し、同様に送信端末機器と受信端末機器との間の性能が保証できる。これは、この場合、送信端末機器が非重要情報を第１パートで伝送し、重要情報を第２パートで伝送するからである。もちろん、本開示の実施例は、これに限られない。第１メッセージにパラメータ指示情報が含まれる場合、送信端末機器は、重要情報を第１パートで伝送し、非重要情報を第２パートで伝送してもよい。
【００８６】
また、第２メッセージにパラメータ指示情報が含まれる場合、デフォルトの受信機パラメータで前記第１パートを復号するとともに、前記パラメータ指示情報で指示される前記目標受信機パラメータで前記第２パートを復号する。このように、受信端末機器による第１パートと第２パートの復号が実現される。
【００８７】
また、第２メッセージにパラメータ指示情報が含まれない場合、デフォルトの受信機パラメータで前記第１パートと前記第２パートを復号することが実現される。すなわち図４に示す３つめのｓｌｏｔを参照する。
【００８８】
また、送信端末機器と受信端末機器では、受信端末機器による第一メッセージの確実な復号に対し共通な認識を持つ。これは、ネットワークから半静的または半永続的に受信端末機器に設定し、または、別の動的制御メッセージで受信端末機器に動的に指示する。
【００８９】
選択可能に、前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にある。前記受信端末機器が、前記送信端末機器から送信される前記第１メッセージを前記目標受信機パラメータに基づいて復号することは、前記第２メッセージにパラメータ指示フィールドが含まれ、かつ前記パラメータ指示フィールドにパラメータ指示情報が含まれる場合、前記受信端末機器が、前記パラメータ指示情報で指示される前記目標受信機パラメータに基づいて前記第２パートを復号すること、または、前記第２メッセージにパラメータ指示フィールドが含まれ、かつ前記パラメータ指示フィールドにパラメータ指示情報が含まれる場合、前記受信端末機器が、前記第１パートを廃棄するとともに、前記パラメータ指示情報で指示される前記目標受信機パラメータに基づいて前記第２パートを復号すること、または、前記第２メッセージにパラメータ指示フィールドが含まれ、かつ前記パラメータ指示フィールドにパラメータ指示情報が含まれる場合、前記受信端末機器が、デフォルトの受信機パラメータに基づいて前記第１パートを復号するとともに、前記パラメータ指示情報で指示される前記目標受信機パラメータに基づいて前記第２パートを復号すること、または、前記第２メッセージにパラメータ指示フィールドが含まれ、かつ前記パラメータ指示フィールドによって、パラメータ指示情報がないこと、またはパラメータの変更がないことが指示される場合、前記受信端末機器が、デフォルトの受信機パラメータに基づいて前記第１パートと前記第２パートを復号することを含む。
【００９０】
当該実施形態において、第２メッセージには、たとえばＳビットのビーム指示フィールドなどのパラメータ指示フィールドを持ち続けることが実現される。かつパラメータ指示フィールドには、パラメータ指示情報がないまたはパラメータ変更がないとの状態指示である少なくとも１つの状態指示を有し、さらに第１メッセージを復号するための受信機パラメータのほかの状態を指示してもよい。したがって、第２メッセージの有効負荷は、送信端末機器と受信端末機器に知られる。たとえば４つのありうる受信機パラメータ指示状態に対応するＳ＝２の場合を考える。１つの状態は、パラメータ指示情報がないまたはパラメータ変更がないことを受信機に指示し、残り３つの状態は、受信機の受信機パラメータを指示する。
【００９１】
また、当該実施形態において、第１メッセージの第１パートと第２パートについて、前記実施形態の関連記載を参照されたく、ここでは繰り返して記載しない。
【００９２】
かつ第２メッセージにパラメータ指示情報が含まれるかについて、第１パートと第２パートの復号は、前記実施形態の関連記載を参照されたく、ここでは繰り返して記載せず、かつ同一または類似な効果を奏することができる。
【００９３】
本開示の実行可能な実施例の前記方法において、前記受信端末機器が、前記第２メッセージにパラメータ指示情報が含まれるかを指示するための第３メッセージを前記送信端末機器から受信することをさらに含み、かつ、前記第２メッセージにパラメータ指示情報が含まれることが前記第３メッセージによって指示される場合、前記第２メッセージと前記第１メッセージとの間にインターバルが存在し、前記第２メッセージにパラメータ指示情報が含まれないことが前記第３メッセージによって指示される場合、前記第２メッセージと前記第１メッセージとの間にインターバルが存在しない。
【００９４】
ここで、前記第３メッセージは、ｍｓｇ３に定義される。当該実施形態において、第２メッセージにパラメータ指示情報が含まれるかを、第３メッセージで受信端末機器に通知する。より具体的に、第２メッセージで指示される受信機パラメータが受信端末機器に対し受信機パラメータの変更があるかを指示する。このように、受信機パラメータの変更が存在せずまたはパラメータ指示情報が含まれない場合、受信端末機器が第２メッセージを受信せずに、直接、使用中の受信機パラメータで第１メッセージを復号することが実現される。または、一部の実施形態において、第３メッセージは、一定の有効負荷を有する。第２メッセージのパラメータ指示情報の存在または非存在は、第３メッセージの２つの異なる状態に対応する。たとえば、第３メッセージのうちの１ビットは、第２メッセージにパラメータ指示情報が付帯されるかを示す。
【００９５】
また、本開示の実施例において、前記第３メッセージは、１つの第２メッセージに対応する。すなわち、たとえば図５に示すように、１つの第３メッセージは、１つの第２メッセージを指示する。かつ第３メッセージ、第２メッセージは、同一のスケジューリング時間単位（たとえばスロット）で送信され、図５にはその一例が示されている。異なるスケジューリング時間単位で第３メッセージと第２メッセージを送信してもよい。第２メッセージにパラメータ指示情報がある場合、第１メッセージと第２メッセージとの間にインターバルを有する。第２メッセージにパラメータ指示情報がない場合、第１メッセージと第２メッセージとの間にインターバルを有しない。
【００９６】
本開示の実行可能な実施例において、前記第３メッセージは、連続または非連続のＭ（１以上の整数）個の時間単位内の第２メッセージにパラメータ指示情報が含まれるかを指示する。
【００９７】
当該実施形態において、第３メッセージで複数の第２メッセージを指示することが実現される。たとえば、第３メッセージは、Ｍ個のスロットの中のＭ個の第２メッセージにパラメータ指示情報が含まれるかを指示することにより、メッセージコストが節約される。また、前記Ｍの値およびＭ個の第２メッセージの時間位置は、半静的または半永続的に予め設定され、送信端末機器と受信端末機器の両方に知られる。ここで、図６には１つの例が示されており、Ｍ＝３である。第３メッセージを受信すると、当該第３メッセージは、対応するＭ個のスロットの中の第２メッセージにパラメータ指示情報が付帯されるかを受信端末機器に指示する。
【００９８】
また、第３メッセージは、各スケジューリング時間単位（たとえばｓｌｏｔｓ）または送信端末機器によって事前に設定されるスロットのサブセット（たとえば、事前設定の伝送周期とオフセットを有する）で伝送される。後者の場合、送信端末機器は、第３メッセージの発生を予め受信端末機器に指示する。
【００９９】
本開示の実行可能な実施例において、目標受信機パラメータは、時間領域、周波数領域および空間領域のうちの少なくとも１つの受信機パラメータを含む。
【０１００】
このように、送信端末機器の第２メッセージに基づいて、時間領域、周波数領域および空間領域のうちの少なくとも１つの受信機パラメータを柔軟に選択して、第１メッセージを復号することが実現される。本開示の実行可能な実施例において、前記空間領域の受信機パラメータは、前記受信端末機器の受信ビームを含む。このように、受信端末機器が第１メッセージに関連する第２メッセージ基づいて受信ビームを特定することが実現され、かつビーム伝送性能も向上させる。
【０１０１】
なお、本開示の実施例で紹介した多種類の選択可能な実施形態は、すべて互いに組み合わせて実現してもよく、単独で実現してもよい。これに対し、本開示の実施例で限定しない。
【０１０２】
本開示の実施例において、受信端末機器は、第１メッセージに関連する第２メッセージを送信端末機器から受信し、前記第２メッセージに基づいて、前記第１メッセージを復号する目標受信機パラメータを特定し、前記目標受信機パラメータに基づいて、前記送信端末機器から送信される前記第１メッセージを復号する。このように、受信端末機器が第１メッセージに関連する第２メッセージに基づいて受信機パラメータを特定することが実現され、かつメッセージ伝送性能も向上させる。
【０１０３】
図７を参照する。図７は、本開示の実施例における別のメッセージ復号方法のフローチャートであり、図７に示すように、受信端末機器に対し、送信端末機器が、第１メッセージに関連する第２メッセージであって、前記第１メッセージを復号する目標受信機パラメータを前記受信端末機器に特定させるための第２メッセージを送信するステップ７０１と、前記送信端末機器が、前記第１メッセージを前記受信端末機器に送信するステップ７０２とを含む。
【０１０４】
本開示の実行可能な実施例において、前記第２メッセージにパラメータ指示情報が含まれる場合、前記目標受信機パラメータは、前記パラメータ指示情報で指示される受信機パラメータであり、前記第２メッセージにパラメータ指示情報が含まれない場合、前記目標受信機パラメータは、前記受信端末機器のデフォルトの受信機パラメータである。
【０１０５】
本開示の実行可能な実施例において、前記受信端末機器のデフォルトの受信機パラメータは、前記受信端末機器の使用中の受信機パラメータ、前記受信端末機器で受信された時間的に最も近い第２メッセージで指示される受信機パラメータ、予め定義されている受信機パラメータ、または、前記受信端末機器から前記送信端末機器に報告される時間的に最も近い送信機パラメータに対応する受信機パラメータを含む。
【０１０６】
本開示の実行可能な実施例において、前記パラメータ指示情報は、前記目標受信機パラメータを明示的または暗示的に指示する。
【０１０７】
本開示の実行可能な実施例において、前記パラメータ指示情報が前記目標受信機パラメータを暗示的に指示する場合、前記パラメータ指示情報は、前記送信端末機器によって選択される送信機パラメータを含み、前記受信端末機器は、予め前記送信機パラメータに対し選択した受信機パラメータを前記目標受信機パラメータとする。
【０１０８】
本開示の実行可能な実施例において、前記第２メッセージは、予め特定されたパラメータ切り替え指示セットに対応するスケジューリング時間単位内で受信される場合、パラメータ指示情報を含み、かつ前記第１メッセージとの間にインターバルが存在し、前記パラメータ切り替え指示セットに対応するスケジューリング時間単位外で受信される場合、パラメータ指示情報を含まず、かつ前記第１メッセージとの間にインターバルが存在しない。
【０１０９】
本開示の実行可能な実施例において、前記パラメータ切り替え指示セットに対応するスケジューリング時間単位は、時間領域で周期的に存在し、および／または、前記送信端末機器から半静的または半永続的に設定されて前記受信端末機器に通知される。
【０１１０】
本開示の実行可能な実施例において、前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にある。
【０１１１】
本開示の実行可能な実施例の前記方法において、前記送信端末機器が、前記第２メッセージにパラメータ指示情報が含まれるかを指示するための第３メッセージを前記受信端末機器に送信することをさらに含み、かつ、前記第２メッセージにパラメータ指示情報が含まれることが前記第３メッセージによって指示される場合、前記第２メッセージと前記第１メッセージとの間にインターバルが存在し、前記第２メッセージにパラメータ指示情報が含まれないことが前記第３メッセージによって指示される場合、前記第２メッセージと前記第１メッセージとの間にインターバルが存在しない。
【０１１２】
本開示の実行可能な実施例において、前記第３メッセージは、連続または非連続のＭ（１以上の整数）個の時間単位内の第２メッセージにパラメータ指示情報が含まれるかを指示する。
【０１１３】
本開示の実行可能な実施例において、前記目標受信機パラメータは、時間領域、周波数領域および空間領域のうちの少なくとも１つの受信機パラメータを含む。
【０１１４】
本開示の実行可能な実施例において、前記空間領域の受信機パラメータは、前記受信端末機器の受信ビームを含む。
【０１１５】
なお、本実施例は、図２に示す実施例に対応する送信端末機器の実施形態であり、その具体的な実施形態について、図２に示す実施例の関連説明を参照されたく、重複な説明を避けるためにここで繰り返して記載せず、かつ図２に示す実施例と同一または類似な効果を奏することもできる。
【０１１６】
図８を参照する。図８は、本開示の実施例における受信端末機器の構造図である。図８に示すように、受信端末機器８００は、第１メッセージに関連する第２メッセージを送信端末機器から受信する第１受信モジュール８０１と、前記第２メッセージに基づいて、前記第１メッセージを復号する目標受信機パラメータを特定する特定モジュール８０２と、前記目標受信機パラメータに基づいて、前記送信端末機器から送信される前記第１メッセージを復号する復号モジュール８０３とを含む。
【０１１７】
本開示の実行可能な実施例において、前記第２メッセージにパラメータ指示情報が含まれる場合、前記目標受信機パラメータは、前記パラメータ指示情報で指示される受信機パラメータであり、前記第２メッセージにパラメータ指示情報が含まれない場合、前記目標受信機パラメータは、前記受信端末機器のデフォルトの受信機パラメータである。
【０１１８】
本開示の実行可能な実施例において、前記受信端末機器のデフォルトの受信機パラメータは、前記受信端末機器の使用中の受信機パラメータ、前記受信端末機器で受信された時間的に最も近い第２メッセージで指示される受信機パラメータ、予め定義されている受信機パラメータ、または、前記受信端末機器から前記送信端末機器に報告される時間的に最も近い送信機パラメータに対応する受信機パラメータを含む。
【０１１９】
本開示の実行可能な実施例において、前記パラメータ指示情報は、前記目標受信機パラメータを明示的または暗示的に指示する。
【０１２０】
本開示の実行可能な実施例において、前記パラメータ指示情報が前記目標受信機パラメータを暗示的に指示する場合、前記パラメータ指示情報は、前記送信端末機器によって選択される送信機パラメータを含み、前記受信端末機器は、予め前記送信機パラメータに対し選択した受信機パラメータを前記目標受信機パラメータとする。
【０１２１】
本開示の実行可能な実施例において、前記第２メッセージは、予め特定されたパラメータ切り替え指示セットに対応するスケジューリング時間単位内で受信される場合、パラメータ指示情報を含み、かつ前記第１メッセージとの間にインターバルが存在し、前記パラメータ切り替え指示セットに対応するスケジューリング時間単位外で受信される場合、パラメータ指示情報を含まず、かつ前記第１メッセージとの間にインターバルが存在しない。
【０１２２】
本開示の実行可能な実施例において、前記パラメータ切り替え指示セットに対応するスケジューリング時間単位は、時間領域で周期的に存在し、および／または、前記送信端末機器から半静的または半永続的に設定されて前記受信端末機器に通知される。
【０１２３】
本開示の実行可能な実施例において、前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にある。前記復号モジュール８０３は、前記第２メッセージにパラメータ指示情報が含まれる場合、前記パラメータ指示情報で指示される前記目標受信機パラメータに基づいて前記第２パートを復号し、または、前記第２メッセージにパラメータ指示情報が含まれる場合、前記第１パートを廃棄するとともに、前記パラメータ指示情報で指示される前記目標受信機パラメータに基づいて前記第２パートを復号し、または、前記第２メッセージにパラメータ指示情報が含まれる場合、デフォルトの受信機パラメータに基づいて前記第１パートを復号するとともに、前記パラメータ指示情報で指示される前記目標受信機パラメータに基づいて前記第２パートを復号し、または、前記第２メッセージにパラメータ指示情報が含まれない場合、デフォルトの受信機パラメータに基づいて前記第１パートと前記第２パートを復号し、または、前記第２メッセージにパラメータ指示フィールドが含まれ、かつ前記パラメータ指示フィールドにパラメータ指示情報が含まれる場合、前記パラメータ指示情報で指示される前記目標受信機パラメータに基づいて前記第２パートを復号し、または、前記第２メッセージにパラメータ指示フィールドが含まれ、かつ前記パラメータ指示フィールドにパラメータ指示情報が含まれる場合、前記第１パートを廃棄するとともに、前記パラメータ指示情報で指示される前記目標受信機パラメータに基づいて前記第２パートを復号し、または、前記第２メッセージにパラメータ指示フィールドが含まれ、かつ前記パラメータ指示フィールドにパラメータ指示情報が含まれる場合、デフォルトの受信機パラメータに基づいて前記第１パートを復号するとともに、前記パラメータ指示情報で指示される前記目標受信機パラメータに基づいて前記第２パートを復号し、または、前記第２メッセージにパラメータ指示フィールドが含まれ、かつ前記パラメータ指示フィールドによって、パラメータ指示情報がないこと、またはパラメータの変更がないことが指示される場合、デフォルトの受信機パラメータに基づいて前記第１パートと前記第２パートを復号する。
【０１２４】
本開示の実行可能な実施例において、図９に示すように、前記受信端末機器８００は、前記第２メッセージにパラメータ指示情報が含まれるかを指示するための第３メッセージを前記送信端末機器から受信する第２受信モジュール８０４をさらに含み、かつ、前記第２メッセージにパラメータ指示情報が含まれることが前記第３メッセージによって指示される場合、前記第２メッセージと前記第１メッセージとの間にインターバルが存在し、前記第２メッセージにパラメータ指示情報が含まれないことが前記第３メッセージによって指示される場合、前記第２メッセージと前記第１メッセージとの間にインターバルが存在しない。
【０１２５】
本開示の実行可能な実施例において、前記第３メッセージは、連続または非連続のＭ（１以上の整数）個の時間単位内の第２メッセージにパラメータ指示情報が含まれるかを指示する。
【０１２６】
本開示の実行可能な実施例において、前記目標受信機パラメータは、時間領域、周波数領域および空間領域のうちの少なくとも１つの受信機パラメータを含む。
【０１２７】
本開示の実行可能な実施例において、前記空間領域の受信機パラメータは、前記受信端末機器の受信ビームを含む。
【０１２８】
なお、本実施例における前記受信端末機器８００は、本開示の実施例における方法実施例の任意の実施形態の受信端末機器であってもよい。本開示の実施例における方法実施例の受信端末機器の任意の実施形態は、すべて本実施例における前記受信端末機器８００によって実現され、同一または類似な効果を奏することもできるので、ここでは繰り返して記載しない。
【０１２９】
図１０を参照する。図１０は、本開示の実施例における送信端末機器の構造図である。図１０に示すように、送信端末機器１０００は、受信端末機器に対し、第１メッセージに関連する第２メッセージであって、前記第１メッセージを復号する目標受信機パラメータを前記受信端末機器に特定させるための第２メッセージを送信する第１送信モジュール１００１と、前記第１メッセージを前記受信端末機器に送信する第２送信モジュール１００２とを含む。
【０１３０】
本開示の実行可能な実施例において、前記第２メッセージにパラメータ指示情報が含まれる場合、前記目標受信機パラメータは、前記パラメータ指示情報で指示される受信機パラメータであり、前記第２メッセージにパラメータ指示情報が含まれない場合、前記目標受信機パラメータは、前記受信端末機器のデフォルトの受信機パラメータである。
【０１３１】
本開示の実行可能な実施例において、前記受信端末機器のデフォルトの受信機パラメータは、前記受信端末機器の使用中の受信機パラメータ、前記受信端末機器で受信された時間的に最も近い第２メッセージで指示される受信機パラメータ、予め定義されている受信機パラメータ、または、前記受信端末機器から前記送信端末機器に報告される時間的に最も近い送信機パラメータに対応する受信機パラメータを含む。
【０１３２】
本開示の実行可能な実施例において、前記パラメータ指示情報は、前記目標受信機パラメータを明示的または暗示的に指示する。
【０１３３】
本開示の実行可能な実施例において、前記パラメータ指示情報が前記目標受信機パラメータを暗示的に指示する場合、前記パラメータ指示情報は、前記送信端末機器によって選択される送信機パラメータを含み、前記受信端末機器は、予め前記送信機パラメータに対し選択した受信機パラメータを前記目標受信機パラメータとする。
【０１３４】
本開示の実行可能な実施例において、前記第２メッセージは、予め特定されたパラメータ切り替え指示セットに対応するスケジューリング時間単位内で受信される場合、パラメータ指示情報を含み、かつ前記第１メッセージとの間にインターバルが存在し、前記パラメータ切り替え指示セットに対応するスケジューリング時間単位外で受信される場合、パラメータ指示情報を含まず、かつ前記第１メッセージとの間にインターバルが存在しない。
【０１３５】
本開示の実行可能な実施例において、前記パラメータ切り替え指示セットに対応するスケジューリング時間単位は、時間領域で周期的に存在し、および／または、前記送信端末機器から半静的または半永続的に設定されて前記受信端末機器に通知される。
【０１３６】
本開示の実行可能な実施例において、前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にある。
【０１３７】
本開示の実行可能な実施例において、図１１に示すように、前記送信端末機器は、前記第２メッセージにパラメータ指示情報が含まれるかを指示するための第３メッセージを前記受信端末機器に送信する第３送信モジュール１００３をさらに含み、かつ、前記第２メッセージにパラメータ指示情報が含まれることが前記第３メッセージによって指示される場合、前記第２メッセージと前記第１メッセージとの間にインターバルが存在し、前記第２メッセージにパラメータ指示情報が含まれないことが前記第３メッセージによって指示される場合、前記第２メッセージと前記第１メッセージとの間にインターバルが存在しない。
【０１３８】
本開示の実行可能な実施例において、前記第３メッセージは、連続または非連続のＭ（１以上の整数）個の時間単位内の第２メッセージにパラメータ指示情報が含まれるかを指示する。
【０１３９】
本開示の実行可能な実施例において、前記目標受信機パラメータは、時間領域、周波数領域および空間領域のうちの少なくとも１つの受信機パラメータを含む。
【０１４０】
本開示の実行可能な実施例において、前記空間領域の受信機パラメータは、前記受信端末機器の受信ビームを含む。
【０１４１】
なお、本実施例における前記送信端末機器１０００は、本開示の実施例における方法実施例の任意の実施形態の送信端末機器であってもよい。本開示の実施例における方法実施例の送信端末機器の任意の実施形態は、すべて本実施例における前記送信端末機器１０００によって実現され、同一または類似な効果を奏することもできるので、ここでは繰り返して記載しない。
【０１４２】
図１２を参照する。図１２は、本開示の実施例における別の受信端末機器の構造図である。図１２に示すように、当該受信端末機器は、プロセッサ１２００と、トランシーバ１２１０と、メモリ１２２０と、ユーザインタフェース１２３０と、バスインタフェースを含む。プロセッサ１２００は、メモリ１２２０からプログラムを読み取ることによって、第１メッセージに関連する第２メッセージをトランシーバ１２１０で送信端末機器から受信するプロセスと、前記第２メッセージに基づいて、前記第１メッセージを復号する目標受信機パラメータを特定するプロセスと、前記目標受信機パラメータに基づいて、前記送信端末機器から送信される前記第１メッセージを復号するプロセスとを実行する。トランシーバ１２１０は、プロセッサ１２００による制御でデータを送受信する。
【０１４３】
図１２において、バスアーキテクチャは、任意数の相互接続するバスとブリッジを含み、具体的に、プロセッサ１２００をはじめとする１つ又は複数のプロセッサとメモリ１２２０をはじめとするメモリの各種類の回路が接続したものである。バスアーキテクチャは、周辺デバイス、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー１２１０は、複数の部品であってもよく、即ち送信機と受信機を含み、伝送媒体でほかの各種類の装置と通信するユニットとして提供される。ユーザ端末によっては、ユーザインタフェース１２３０は、必要な機器を内部接続や外部接続するインタフェースであってもよい。接続する機器は、キーパッド、ディスプレイ、スピーカ、マイクロフォン、ジョイスティックなどを含むが、それらに限られない。
【０１４４】
プロセッサ１２００は、バスアーキテクチャと通常の処理を管理する。メモリ１２２０は、プロセッサ１２００による作業時に使用されるデータを記憶できる。
【０１４５】
本開示の実行可能な実施例において、前記第２メッセージにパラメータ指示情報が含まれる場合、前記目標受信機パラメータは、前記パラメータ指示情報で指示される受信機パラメータであり、前記第２メッセージにパラメータ指示情報が含まれない場合、前記目標受信機パラメータは、前記受信端末機器のデフォルトの受信機パラメータである。
【０１４６】
本開示の実行可能な実施例において、前記受信端末機器のデフォルトの受信機パラメータは、前記受信端末機器の使用中の受信機パラメータ、前記受信端末機器で受信された時間的に最も近い第２メッセージで指示される受信機パラメータ、予め定義されている受信機パラメータ、または、前記受信端末機器から前記送信端末機器に報告される時間的に最も近い送信機パラメータに対応する受信機パラメータを含む。
【０１４７】
本開示の実行可能な実施例において、前記パラメータ指示情報は、前記目標受信機パラメータを明示的または暗示的に指示する。
【０１４８】
本開示の実行可能な実施例において、前記パラメータ指示情報が前記目標受信機パラメータを暗示的に指示する場合、前記パラメータ指示情報は、前記送信端末機器によって選択される送信機パラメータを含み、前記受信端末機器は、予め前記送信機パラメータに対し選択した受信機パラメータを前記目標受信機パラメータとする。
【０１４９】
本開示の実行可能な実施例において、前記第２メッセージは、予め特定されたパラメータ切り替え指示セットに対応するスケジューリング時間単位内で受信される場合、パラメータ指示情報を含み、かつ前記第１メッセージとの間にインターバルが存在し、前記パラメータ切り替え指示セットに対応するスケジューリング時間単位外で受信される場合、パラメータ指示情報を含まず、かつ前記第１メッセージとの間にインターバルが存在しない。
【０１５０】
本開示の実行可能な実施例において、前記パラメータ切り替え指示セットに対応するスケジューリング時間単位は、時間領域で周期的に存在し、および／または、前記送信端末機器から半静的または半永続的に設定されて前記受信端末機器に通知される。
【０１５１】
本開示の実行可能な実施例において、前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にある。前記の前記目標受信機パラメータに基づいて前記第１メッセージを復号することは、前記第２メッセージにパラメータ指示情報が含まれる場合、前記パラメータ指示情報で指示される前記目標受信機パラメータに基づいて前記第２パートを復号すること、または、前記第２メッセージにパラメータ指示情報が含まれる場合、前記第１パートを廃棄するとともに、前記パラメータ指示情報で指示される前記目標受信機パラメータに基づいて前記第２パートを復号すること、または、前記第２メッセージにパラメータ指示情報が含まれる場合、デフォルトの受信機パラメータに基づいて前記第１パートを復号するとともに、前記パラメータ指示情報で指示される前記目標受信機パラメータに基づいて前記第２パートを復号すること、または、前記第２メッセージにパラメータ指示情報が含まれない場合、デフォルトの受信機パラメータに基づいて前記第１パートと前記第２パートを復号すること、または、前記第２メッセージにパラメータ指示フィールドが含まれ、かつ前記パラメータ指示フィールドにパラメータ指示情報が含まれる場合、前記パラメータ指示情報で指示される前記目標受信機パラメータに基づいて前記第２パートを復号すること、または、前記第２メッセージにパラメータ指示フィールドが含まれ、かつ前記パラメータ指示フィールドにパラメータ指示情報が含まれる場合、前記第１パートを廃棄するとともに、前記パラメータ指示情報で指示される前記目標受信機パラメータに基づいて前記第２パートを復号すること、または、前記第２メッセージにパラメータ指示フィールドが含まれ、かつ前記パラメータ指示フィールドにパラメータ指示情報が含まれる場合、デフォルトの受信機パラメータに基づいて前記第１パートを復号するとともに、前記パラメータ指示情報で指示される前記目標受信機パラメータに基づいて前記第２パートを復号すること、または、前記第２メッセージにパラメータ指示フィールドが含まれ、かつ前記パラメータ指示フィールドによって、パラメータ指示情報がないこと、またはパラメータの変更がないことが指示される場合、デフォルトの受信機パラメータに基づいて前記第１パートと前記第２パートを復号することを含む。
【０１５２】
本開示の実行可能な実施例の前記方法において、プロセッサ１２００は、さらに、前記第２メッセージにパラメータ指示情報が含まれるかを指示するための第３メッセージをトランシーバ１２１０で前記送信端末機器から受信し、かつ、前記第２メッセージにパラメータ指示情報が含まれることが前記第３メッセージによって指示される場合、前記第２メッセージと前記第１メッセージとの間にインターバルが存在し、前記第２メッセージにパラメータ指示情報が含まれないことが前記第３メッセージによって指示される場合、前記第２メッセージと前記第１メッセージとの間にインターバルが存在しない。
【０１５３】
本開示の実行可能な実施例において、前記第３メッセージは、連続または非連続のＭ（１以上の整数）個の時間単位内の第２メッセージにパラメータ指示情報が含まれるかを指示する。
【０１５４】
本開示の実行可能な実施例において、前記目標受信機パラメータは、時間領域、周波数領域および空間領域のうちの少なくとも１つの受信機パラメータを含む。
【０１５５】
本開示の実行可能な実施例において、前記空間領域の受信機パラメータは、前記受信端末機器の受信ビームを含む。
【０１５６】
なお、本実施例における前記受信端末機器は、図１〜図７に示す実施例における端末である。図１〜図７に示す実施例における受信端末機器の任意の実施形態は、すべて本実施例における前記受信端末機器によって実現され、同一または類似な効果を奏することもでき、ここでは繰り返して記載しない。
【０１５７】
図１３を参照する。図１３は、本開示の実施例における別の送信端末機器の構造図である。図１３に示すように、当該送信端末機器は、プロセッサ１３００と、トランシーバ１３１０と、メモリ１３２０と、ユーザインタフェース１３３０と、バスインタフェースを含む。プロセッサ１３００は、メモリ１３２０からプログラムを読み取ることによって、受信端末機器に対し、第１メッセージに関連する第２メッセージであって、前記第１メッセージを復号する目標受信機パラメータを前記受信端末機器に特定させるための第２メッセージをトランシーバ１３１０で送信するプロセスと、前記第１メッセージをトランシーバ１３１０で前記受信端末機器に送信するプロセスとを実行する。トランシーバ１３１０は、プロセッサ１３００による制御でデータを送受信する。
【０１５８】
図１３において、バスアーキテクチャは、任意数の相互接続するバスとブリッジを含み、具体的に、プロセッサ１３００をはじめとする１つ又は複数のプロセッサとメモリ１３２０をはじめとするメモリの各種類の回路が接続したものである。バスアーキテクチャは、周辺デバイス、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー１３１０は、複数の部品であってもよく、即ち送信機と受信機を含み、伝送媒体でほかの各種類の装置と通信するユニットとして提供される。ユーザ端末によっては、ユーザインタフェース１３３０は、必要な機器を内部接続や外部接続するインタフェースであってもよい。接続する機器は、キーパッド、ディスプレイ、スピーカ、マイクロフォン、ジョイスティックなどを含むが、それらに限られない。
【０１５９】
プロセッサ１３００は、バスアーキテクチャと通常の処理を管理する。メモリ１３２０は、プロセッサ１３００による作業時に使用されるデータを記憶できる。
【０１６０】
本開示の実行可能な実施例において、前記第２メッセージにパラメータ指示情報が含まれる場合、前記目標受信機パラメータは、前記パラメータ指示情報で指示される受信機パラメータであり、前記第２メッセージにパラメータ指示情報が含まれない場合、前記目標受信機パラメータは、前記受信端末機器のデフォルトの受信機パラメータである。
【０１６１】
本開示の実行可能な実施例において、前記受信端末機器のデフォルトの受信機パラメータは、前記受信端末機器の使用中の受信機パラメータ、前記受信端末機器で受信された時間的に最も近い第２メッセージで指示される受信機パラメータ、予め定義されている受信機パラメータ、または、前記受信端末機器から前記送信端末機器に報告される時間的に最も近い送信機パラメータに対応する受信機パラメータを含む。
【０１６２】
本開示の実行可能な実施例において、前記パラメータ指示情報は、前記目標受信機パラメータを明示的または暗示的に指示する。
【０１６３】
本開示の実行可能な実施例において、前記パラメータ指示情報が前記目標受信機パラメータを暗示的に指示する場合、前記パラメータ指示情報は、前記送信端末機器によって選択される送信機パラメータを含み、前記受信端末機器は、予め前記送信機パラメータに対し選択した受信機パラメータを前記目標受信機パラメータとする。
【０１６４】
本開示の実行可能な実施例において、前記第２メッセージは、予め特定されたパラメータ切り替え指示セットに対応するスケジューリング時間単位内で受信される場合、パラメータ指示情報を含み、かつ前記第１メッセージとの間にインターバルが存在し、前記パラメータ切り替え指示セットに対応するスケジューリング時間単位外で受信される場合、パラメータ指示情報を含まず、かつ前記第１メッセージとの間にインターバルが存在しない。
【０１６５】
本開示の実行可能な実施例において、前記パラメータ切り替え指示セットに対応するスケジューリング時間単位は、時間領域で周期的に存在し、および／または、前記送信端末機器から半静的または半永続的に設定されて前記受信端末機器に通知される。
【０１６６】
本開示の実行可能な実施例において、前記第１メッセージは、時間領域で連続する第１パートと第２パートに分けられ、かつ前記第１パートは、前記第２パートの前にあり、前記第１パートは、前記第２メッセージとは時間領域で連続し、前記第２メッセージは、前記第１パートの前にある。
【０１６７】
本開示の実行可能な実施例において、プロセッサ１３００は、さらに、前記第２メッセージにパラメータ指示情報が含まれるかを指示するための第３メッセージをトランシーバ１３１０で前記受信端末機器に送信し、かつ、前記第２メッセージにパラメータ指示情報が含まれることが前記第３メッセージによって指示される場合、前記第２メッセージと前記第１メッセージとの間にインターバルが存在し、前記第２メッセージにパラメータ指示情報が含まれないことが前記第３メッセージによって指示される場合、前記第２メッセージと前記第１メッセージとの間にインターバルが存在しない。
【０１６８】
本開示の実行可能な実施例において、前記第３メッセージは、連続または非連続のＭ（１以上の整数）個の時間単位内の第２メッセージにパラメータ指示情報が含まれるかを指示する。
【０１６９】
本開示の実行可能な実施例において、前記目標受信機パラメータは、時間領域、周波数領域および空間領域のうちの少なくとも１つの受信機パラメータを含む。
【０１７０】
本開示の実行可能な実施例において、前記空間領域の受信機パラメータは、前記受信端末機器の受信ビームを含む。
【０１７１】
なお、本実施例における前記送信端末機器は、図１〜図７に示す実施例における送信端末機器である。図１〜図７に示す実施例における送信端末機器の任意の実施形態は、すべて本実施例における前記送信端末機器によって実現され、同一または類似な効果を奏することもでき、ここでは繰り返して記載しない。
【０１７２】
本願で提供されるいくつかの実施例において、開示された方法および装置は、他の方式で実施され得ることを理解されたい。以前記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、機器またはユニットを介した間接結合や通信接続であってもよく、電気的、機械的、または他の形式であってもよい。
【０１７３】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１７４】
前記のソフトウェア機能ユニットの形態で実現される一体化ユニットは、１つのコンピュータ読み取り可能な記憶媒体に記憶されてもよい。１つの記憶媒体に記憶される前記のソフトウェア機能ユニットは、本開示の各実施例に記載される送受信方法の一部のステップをコンピュータ装置（パーソナルコンピュータ、サーバ、又はネットワーク装置であってもよい）に実行させるためのいくつかのコマンドを含む。上述した記憶媒体は、Ｕディスク、移動ハードディスク、ＲＯＭ、ＲＡＭ、磁気ディスクまたは光ディスクなど、プログラムコードを格納することができる媒体を含む。
【０１７５】
以上の記載は、本開示の好適な実施形態である。なお、当業者にとって、本開示に記載した原理を逸脱することなくいくつかの改良や修飾を行うこともできる。これらの改良や修飾も、本開示の保護範囲として見なされるべきである。
【図１】
0006880237.tif 000002
【図２】
0006880237.tif 000003
【図３】
0006880237.tif 000004
【図４】
0006880237.tif 000005
【図５】
0006880237.tif 000006
【図６】
0006880237.tif 000007
【図７】
0006880237.tif 000008
【図８】
0006880237.tif 000009
【図９】
0006880237.tif 000010
【図１０】
0006880237.tif 000011
【図１１】
0006880237.tif 000012
【図１２】
0006880237.tif 000013
【図１３】
0006880237.tif 000014